(57)【要約】【課題】より適切なタイミングで駆動電圧の印加の開始および停止の制御を行うこと。【解決手段】制御部１１０は、駆動電圧の印加が停止された後、第１のしきい値時間より短い第２のしきい値時間が経過した場合において、第２のしきい値時間が経過する前までの間に入力装置が移動したとき、または、第２のしきい値時間が経過した時点で、入力装置と第１の面との距離がしきい値以下になっていることが検出されたときは、駆動電圧の印加を開始するように、電源１３５を制御する。【選択図】図７
2010230707.tif 000002
【特許請求の範囲】
【請求項１】
第１の面および前記第１の面に対向する第２の面と、照射される光および印加される電圧に応じて表示が変化する表示層とを有する表示媒体の前記第１の面上を、光を照射する光照射手段を有する入力装置が移動した軌跡を取得する取得手段と、
前記取得手段が取得した軌跡を記憶する記憶手段と、
前記記憶手段に記憶された軌跡に応じて、前記表示層を、前記第２の面側から露光する露光手段と、
前記表示層を駆動する駆動電圧を印加するための電力を供給する電源と、
前記入力装置と前記第１の面との距離があらかじめ決められたしきい値以下になったことを検出する検出手段と、
前記検出手段が、前記入力装置と前記第１の面との距離が前記しきい値以下になったことを検出した場合、前記駆動電圧の印加を開始するように、前記電源を制御する第１の制御手段と、
前記駆動電圧の印加の開始が指示された後、第１のしきい値時間が経過した場合、前記駆動電圧の印加を停止するように、前記電源を制御する第２の制御手段と、
前記駆動電圧の印加が停止された後、前記第１のしきい値時間より短い第２のしきい値時間が経過した場合において、前記第２のしきい値時間が経過する前までの間に前記入力装置が移動したとき、または、前記第２のしきい値時間が経過した時点で、前記入力装置と前記第１の面との距離が前記しきい値以下になっていることが検出されたときは、前記駆動電圧の印加を開始するように、前記電源を制御する第３の制御手段と
を有する記録装置。
【請求項２】
前記露光手段は、前記駆動電圧の印加が停止されたときは前記軌跡に応じた露光の停止をし、前記露光の停止後、前記駆動電圧の印加が再開されたときは、前記軌跡のうち露光が停止された部分から、前記露光を再開する
ことを特徴とする請求項１に記載の記録装置。
【請求項３】
前記入力装置により前記第１の面に加えられる圧力を検知する検知手段と、
前記駆動電圧の印加の開始が指示された後、前記第１のしきい値時間より短く前記第２のしきい値時間より長い第３のしきい値時間が経過した場合において前記第２の検出手段により前記第１の面に前記入力装置が接触していないことが検出されたときに、前記駆動電圧の印加を停止するように、前記電源を制御する第４の制御手段と
を有する請求項１または２に記載の記録装置。
【請求項４】
前記入力装置が前記軌跡を描く速度に応じて、単位面積あたりの光照射量が一定になるように前記光照射手段の光量を調整する調整手段
を有する請求項１−３のいずれかの項に記載の記録装置。
【請求項５】
接触部と、
光照射手段と、
第１の面と、前記第１の面と異なる第２の面と、前記第１の面および前記第２の面に挟まれ、照射される光および印加される電圧に応じて表示が変化する表示層とを有する表示媒体の前記第１の面上を、前記接触部が移動した軌跡を記憶する記憶手段と、前記記憶手段に記憶された軌跡に応じて、前記表示層を、前記第２の面から露光する露光手段と、前記表示層を駆動する電圧を印加する電源とを有する記録装置と通信する通信手段と、
前記接触部と前記第１の面との距離があらかじめ決められたしきい値以下になったことを検出する検出手段と、
前記検出手段が、前記接触部と前記第１の面との距離が前記しきい値以下になったことを検出した場合、前記駆動電圧の印加を開始するように、前記通信手段を介して前記記録装置を制御する第１の制御手段と、
前記駆動電圧の印加の開始が指示された後、第１のしきい値時間が経過した場合、前記駆動電圧の印加を停止するように、前記通信手段を介して前記記録装置を制御する第２の制御手段と、
前記駆動電圧の印加が停止された後、前記第１のしきい値時間より短い第２のしきい値時間が経過した場合、前記駆動電圧の印加が停止された後、前記第２のしきい値時間が経過する前までの間に前記接触部が移動したとき、または、前記第２のしきい値時間が経過した時点で、前記接触部と前記第１の面との距離が前記しきい値以下になっていることが検出されとき、前記駆動電圧の印加を開始するように、前記通信手段を介して前記記録装置を制御する第３の制御手段と
を有する入力装置。
【請求項６】
前記接触部により前記第１の面に加えられる圧力を検知する検知手段と、
前記駆動電圧の印加の開始が指示された後、前記第１のしきい値時間より短く前記第２のしきい値時間より長い第３のしきい値時間が経過したときに前記第２の検出手段により前記第１の面に前記接触部が接触していないことが検出された場合、前記駆動電圧の印加を停止するように、前記通信手段を介して前記記録装置を制御する第４の制御手段と
を有する請求項５に記載の入力装置。
【請求項７】
前記接触部が前記軌跡を描く速度に応じて、単位面積あたりの光照射量が一定になるように前記光照射手段の光量を調整する調整手段
を有する請求項５または６に記載の入力装置。
【請求項８】
請求項１−４のいずれかの項に記載の記録装置と、
前記入力装置と
を有する記録システム。
【請求項９】
請求項５−７のいずれかの項に記載の入力装置と、
前記入力装置と通信する通信手段を有する前記記録装置と
を有する記録システム。
【請求項１０】
前記表示媒体を有する請求項８または９に記載の記録システム。
【発明の詳細な説明】
【技術分野】
【０００１】
本発明は、記録装置、入力装置および記録システムに関する。
【背景技術】
【０００２】
近年、いわゆる電子ペーパといわれる表示媒体に、ペン形状の入力装置を用いて記録（書き込み）をする技術が開発されている。特許文献１は、電界により粒子を移動させる表示媒体において、ペンを用いて追記を行う技術を開示している。特許文献２は、フォトクロミック材料を用いた表示媒体に対し、紫外光を照射する光ペンを用いて追記を行う技術を開示している。特許文献３は、走査電極を駆動することにより描画を行う表示媒体において、ペン先の位置を検出し、検出した位置の走査電極を部分的に駆動して追記を行う技術を開示している。特許文献４は、光書き込み型の表示媒体において、光ペンによる追記の際に、光ペンとは別の記録装置からの露光を行い追記を支援する技術を開示している。
【先行技術文献】
【特許文献】
【０００３】
【特許文献１】特開２００８−１４５９９８号公報
【特許文献２】特開２００３−０１５２５７号公報
【特許文献３】特開２００７−２２５７５７号公報
【特許文献４】特開２００５−３２１７３６号公報
【発明の概要】
【発明が解決しようとする課題】
【０００４】
本発明は、光書き込み型の記録システムにおいて、より適切なタイミングで駆動電圧の印加の開始および停止の制御を行う技術を提供する。
【課題を解決するための手段】
【０００５】
請求項１に係る記録装置は、第１の面および前記第１の面に対向する第２の面と、照射される光および印加される電圧に応じて表示が変化する表示層とを有する表示媒体の前記第１の面上を、光を照射する光照射手段を有する入力装置が移動した軌跡を取得する取得手段と、前記取得手段が取得した軌跡を記憶する記憶手段と、前記記憶手段に記憶された軌跡に応じて、前記表示層を、前記第２の面側から露光する露光手段と、前記表示層を駆動する駆動電圧を印加するための電力を供給する電源と、前記入力装置と前記第１の面との距離があらかじめ決められたしきい値以下になったことを検出する検出手段と、前記検出手段が、前記入力装置と前記第１の面との距離が前記しきい値以下になったことを検出した場合、前記駆動電圧の印加を開始するように、前記電源を制御する第１の制御手段と、前記駆動電圧の印加の開始が指示された後、第１のしきい値時間が経過した場合、前記駆動電圧の印加を停止するように、前記電源を制御する第２の制御手段と、前記駆動電圧の印加が停止された後、前記第１のしきい値時間より短い第２のしきい値時間が経過した場合において、前記第２のしきい値時間が経過する前までの間に前記入力装置が移動したとき、または、前記第２のしきい値時間が経過した時点で、前記入力装置と前記第１の面との距離が前記しきい値以下になっていることが検出されたときは、前記駆動電圧の印加を開始するように、前記電源を制御する第３の制御手段とを有する。
【０００６】
請求項２に係る記録装置は、請求項１の記録装置において、前記露光手段は、前記駆動電圧の印加が停止されたときは前記軌跡に応じた露光の停止をし、前記露光の停止後、前記駆動電圧の印加が再開されたときは、前記軌跡のうち露光が停止された部分から、前記露光を再開することを特徴とする。
【０００７】
請求項３に係る記録装置は、請求項１または２の記録装置において、前記入力装置により前記第１の面に加えられる圧力を検知する検知手段と、前記駆動電圧の印加の開始が指示された後、前記第１のしきい値時間より短く前記第２のしきい値時間より長い第３のしきい値時間が経過した場合において前記第２の検出手段により前記第１の面に前記入力装置が接触していないことが検出されたときに、前記駆動電圧の印加を停止するように、前記電源を制御する第４の制御手段とを有することを特徴とする。
【０００８】
請求項４に係る記録装置は、請求項１−３のいずれかの記録装置において、前記入力装置が前記軌跡を描く速度に応じて、単位面積あたりの光照射量が一定になるように前記光照射手段の光量を調整する調整手段を有することを特徴とする。
【０００９】
請求項５に係る入力装置は、接触部と、光照射手段と、第１の面と、前記第１の面と異なる第２の面と、前記第１の面および前記第２の面に挟まれ、照射される光および印加される電圧に応じて表示が変化する表示層とを有する表示媒体の前記第１の面上を、前記接触部が移動した軌跡を記憶する記憶手段と、前記記憶手段に記憶された軌跡に応じて、前記表示層を、前記第２の面から露光する露光手段と、前記表示層を駆動する電圧を印加する電源とを有する記録装置と通信する通信手段と、前記接触部と前記第１の面との距離があらかじめ決められたしきい値以下になったことを検出する検出手段と、前記検出手段が、前記接触部と前記第１の面との距離が前記しきい値以下になったことを検出した場合、前記駆動電圧の印加を開始するように、前記通信手段を介して前記記録装置を制御する第１の制御手段と、前記駆動電圧の印加の開始が指示された後、第１のしきい値時間が経過した場合、前記駆動電圧の印加を停止するように、前記通信手段を介して前記記録装置を制御する第２の制御手段と、前記駆動電圧の印加が停止された後、前記第１のしきい値時間より短い第２のしきい値時間が経過した場合、前記駆動電圧の印加が停止された後、前記第２のしきい値時間が経過する前までの間に前記接触部が移動したとき、または、前記第２のしきい値時間が経過した時点で、前記接触部と前記第１の面との距離が前記しきい値以下になっていることが検出されとき、前記駆動電圧の印加を開始するように、前記通信手段を介して前記記録装置を制御する第３の制御手段とを有する。
【００１０】
請求項６に係る入力装置は、請求項５の入力装置において、前記接触部により前記第１の面に加えられる圧力を検知する検知手段と、前記駆動電圧の印加の開始が指示された後、前記第１のしきい値時間より短く前記第２のしきい値時間より長い第３のしきい値時間が経過したときに前記第２の検出手段により前記第１の面に前記接触部が接触していないことが検出された場合、前記駆動電圧の印加を停止するように、前記通信手段を介して前記記録装置を制御する第４の制御手段とを有することを特徴とする。
【００１１】
請求項７に係る入力装置は、請求項５または６の入力装置において、前記接触部が前記軌跡を描く速度に応じて、単位面積あたりの光照射量が一定になるように前記光照射手段の光量を調整する調整手段を有することを特徴とする。
【００１２】
請求項８に係る記録システムは、請求項１−４のいずれかの項に記載の記録装置と、前記入力装置とを有する。
【００１３】
請求項９に係る記録システムは、請求項５−７のいずれかの項に記載の入力装置と、前記入力装置と通信する通信手段を有する前記記録装置とを有する。
【００１４】
請求項１０に係る記録システムは、前記表示媒体を有することを特徴とする。
【発明の効果】
【００１５】
請求項１に係る記録装置によれば、検出手段、第１の制御手段、第２の制御手段および第３の制御手段を有しない記録装置と比較してより適切なタイミングで駆動電圧の印加の開始および停止の制御をすることができる。
請求項２に係る記録装置によれば、駆動電圧の印加が停止されたときは軌跡に応じた露光の停止をし、露光の停止後、駆動電圧の印加が再開されたときは、軌跡のうち露光が停止された部分から、露光を再開する露光手段を有しない記録装置と比較してより高品質な軌跡を記録することができる。
請求項３に係る記録装置によれば、駆動電圧の印加の開始が指示された後、第１のしきい値時間より短く第２のしきい値時間より長い第３のしきい値時間が経過した場合において第１の面に入力装置が接触していないことが検出されたときに、駆動電圧の印加を停止するように、電源を制御する制御手段を有しない記録装置と比較して、消費電力を低減することができる。
請求項４に係る記録装置によれば、入力装置が軌跡を描く速度に応じて、単位面積あたりの光照射量が一定になるように光照射手段の光量を調整する調整手段を有しない記録装置と比較して、表示媒体に記録される軌跡の濃度の変動を抑制することができる。
請求項５に係る入力装置によれば、検出手段、第１の制御手段、第２の制御手段および第３の制御手段入力装置と比較してより適切なタイミングで駆動電圧の印加の開始および停止の制御をすることができる。
請求項６に係る入力装置によれば、駆動電圧の印加の開始が指示された後、第１のしきい値時間より短く第２のしきい値時間より長い第３のしきい値時間が経過したときに第１の面に前記接触部が接触していないことが検出された場合、駆動電圧の印加を停止するように、記録装置を制御する制御手段を有しない入力装置と比較して、消費電力を低減することができる。
請求項７に係る入力装置によれば、接触部が軌跡を描く速度に応じて、単位面積あたりの光照射量が一定になるように光照射手段の光量を調整する調整手段を有しない記録装置と比較して、表示媒体に記録される軌跡の濃度の変動を抑制することができる。
請求項８に係る記録システムによれば、検出手段、第１の制御手段、第２の制御手段および第３の制御手段を有しない記録装置を有する記録システムと比較してより適切なタイミングで駆動電圧の印加の開始および停止の制御をすることができる。
請求項９に係る記録システムによれば、検出手段、第１の制御手段、第２の制御手段および第３の制御手段を有しない入力装置を有する記録システムと比較してより適切なタイミングで駆動電圧の印加の開始および停止の制御をすることができる。
請求項１０に係る記録システムによれば、検出手段、第１の制御手段、第２の制御手段および第３の制御手段を有しない記録システムと比較してより適切なタイミングで駆動電圧の印加の開始および停止の制御をすることができる。
【図面の簡単な説明】
【００１６】
【図１ａ】一実施形態に係る記録システムの構成を示す図である。
【図１ｂ】一実施形態に係る記録システムの構成を示す図である。
【図２】電子ペーパ２０を上面から見た外観図である。
【図３】電子ペーパ２０の断面構造を示す図である。
【図４】電子ペーパ２０のカラー表示の原理を説明する図である。
【図５】電子ペーパ２０の表示層に印加される信号を例示する図である。
【図６】光ペン３０による電子ペーパ２０の表示の書き替えを例示する図である。
【図７】記録装置１０の構成を示す図である。
【図８】記録装置１０の機能構成を示す図である。
【図９】光ペン３０の断面を模式的に示した図である。
【図１０】通常モードにおける動作を示すフローチャートである。
【図１１】手書き追記モードにおける動作を示すフローチャートである。
【図１２】本実施形態の構成を有しない記録システムによる記録の例を示す図である。
【図１３】本実施形態の記録システムによる記録の例を示す図である。
【図１４】光ペン３０の光出力の特性を示す図である。
【図１５】変形例１に係る光ペン３０の機能構成を示す図である。
【発明を実施するための形態】
【００１７】
１．構成
図１ａおよび図１ｂは、本発明の一実施形態に係る記録システムの構成を示す図である。この記録システムは、記録装置１０、電子ペーパ２０および光ペン３０を有する。電子ペーパ２０は、記録装置１０に着脱可能である。図１ａは記録装置１０から電子ペーパ２０を外した状態を、図１ｂは記録装置１０に電子ペーパ２０を装着した状態を示している。電子ペーパ２０は、光書き込み型の表示媒体である。「光書き込み型」の表示媒体とは、表示媒体に表示される情報の書き替えの際に光照射が用いられる表示媒体をいう。記録装置１０は、電子ペーパ２０に画像の記録（書き込み）、および記録された画像の消去（初期化）を行う装置である。光ペン３０は、電子ペーパ２０に記録された画像に利用者が追記を行う際に用いられる入力装置である。
【００１８】
１−１．電子ペーパ２０
図２は、電子ペーパ２０を上面から見た外観図である。フレーム２１は、電子ペーパ２０の各構成を保持する。フレーム２１は、機械的な剛性と、電気的な絶縁性と、光学的な遮光性を有する樹脂で作られている。表示体２２は、画像の表示を行う構造体である。表示体２２は、記憶性液晶であるコレステリック液晶を有している。コレステリック液晶は双安定の物質であり、電圧等によりエネルギーが与えられていない状態でも光の反射率が異なる２つの配向状態のいずれかを維持することができる。コレステリック液晶分子の安定な配向には、プレーナ配向とフォーカルコニック配向とがある。プレーナ配向において、コレステリック液晶分子は、特定の波長帯の光を反射（ブラッグ反射）する。フォーカルコニック配向において、コレステリック液晶分子は、光を透過する。表示体２２は、原理的には、配向状態に応じた反射率の違いを利用して表示を行うものである。
【００１９】
図３は、電子ペーパ２０の断面、特に図２のＩＩＩ−ＩＩＩ線に沿った切断面の断面構造を示す
図である。面２２ａは、表示体２２の上面すなわち表面（第１の面）である。利用者は、面２２ａから画像を見る。また、利用者は、光ペン３０を用いて面２２ａ側から追記を行う。面２２ｂは、表示体２２の下面すなわち裏面（第２の面）である。記録装置２０は、面２２ｂ側から画像の消去や書き込みを行う。
【００２０】
保護層２１０および２７５は、表示体２２の表面を保護する層である。この例において、保護層２１０および２７５は、ＰＥＴ（ポリエチレンテレフタレート）樹脂で作られている。
【００２１】
液晶層２３０と、液晶層２６０と、液晶層２６５は、特定の波長帯の光を反射する液晶分子を含む層である。この例で、液晶層２３０、液晶層２６０、および液晶層２６５は、それぞれ、赤、緑、青の光を反射する。液晶層２３０、液晶層２６０、および液晶層２６５においては、コレステリック液晶が用いられている。具体的には、これらの層において、バインダー樹脂中にマイクロカプセル状のコレステリック液晶表示素子が分散されている。光の反射率は、コレステリック液晶分子の配向状態に応じて変化する。コレステリック液晶分子の配向状態は、印加される電圧（より正確には、与えられる電力）に応じて変化する。
【００２２】
図４は、カラー表示の原理を説明する図である。図４において、縦軸は正規化された反射率を、横軸は液晶層に印加される電圧（駆動電圧）を示す。ここでは、赤、青、緑の３色の液晶層が積層された構成の表示体において、これら３つの液晶層全体に対して駆動電圧が印加される場合を例に説明する。曲線ＣR、ＣBおよびＣGは、それぞれ赤、青および緑の液晶層の反射率−電圧曲線を示す。電圧Ｖａ、Ｖｂ、Ｖｃ、Ｖｄ、Ｖｅ、ＶｆおよびＶｇは、各曲線におけるしきい値電圧を示す。しきい値電圧とは、正規化反射率が所定の値（例えば９０％および１０％）になる電圧である。例えば、電圧Ｖａは、曲線ＣRにおいて、正規化反射率が９０％になる電圧である。また、Ｖｂは、曲線ＣRにおいて正規化反射率が１０％になり、かつ曲線ＣBにおいて正規化反射率が９０％になる電圧である。図４の例ではこれらの電圧値が一致するように液晶層が設計されているが、曲線ＣRにおいて正規化反射率が１０％になる電圧と、曲線ＣBにおいて正規化反射率が９０％になる電圧とは異なっていてもよい。例えば電圧Ｖｆを印加すると、緑の光は透過されるが、赤および青は反射され、利用者には紫色に見える。このように、電圧値によって、各液晶層の反射／透過の組み合わせを選択できる。すなわち、しきい値が他の層とずれた反射率−電圧曲線を有する液晶層を複数積層し、一組の電極で挟むことで、この一組の電極間に与えられる信号によりカラー表示を行うことが、原理的には可能である。
【００２３】
図５は、表示層に印加される信号を例示する図である。この例では、表示層に対し信号ＶLCが印加されている。信号ＶLCにおいて、縦軸は電圧を、横軸は時間を示す。期間ｔ1および期間ｔ2において、信号ＶLCはそれぞれ電圧値が異なっている。これらの電圧値の組み合わせにより、３つの液晶層の配向状態の組み合わせが決定される。
【００２４】
再び図３を参照して説明する。図４で説明したように、原理的には赤、緑、青の３層を１組の電極で挟んだ構造によりカラー表示が可能である。しかし、この例で、電子ペーパ２０は、液晶層２６０（緑）および液晶層２６５（青）が１組の電極（透明電極２７０および２４５）に挟まれ、液晶層２３０（赤）が別の一対の電極（透明電極２３５および２１５）に挟まれた構造を有している。以下、透明電極２７０および２４５に挟まれた層を「第１の光アドレス層」、透明電極２３５および２１５に挟まれた層を「第２の光アドレス層」という。第１の光アドレス層と第２の光アドレス層はそれぞれ独立に制御される。また、以下において必要に応じて液晶層および感光層を含む層を「表示層」という。第１の光アドレス層および第２の光アドレス層はそれぞれ表示層の一例である。
【００２５】
第１の光アドレス層は、面２２ａ側から順に、液晶層２６５（青）、液晶層２６０（緑）および感光層２５５を有する。透明電極２７０および２４５は、第１の光アドレス層に電圧を印加するための電極である。透明電極２７０および２４５は、ＩＴＯ（Indium Tin Oxide：酸化インジウムすず）等、光を透過する（透明な）材料で作られている。感光層２５５は、特定の波長の光（例えば青色の光）が照射されると電荷を生じて暗状態より低抵抗化する。この例で、感光層２５５は、有機感光体（Organic Photoconductor：ＯＰＣ）により形成されている。青色の光が照射されると、暗状態よりも感光層２５５が低抵抗化するので、液晶層２６０および２６５にかかる電圧が増加する。感光層２５５は、ジブロモアントアントロン（ＤＢＡ）等の赤色（第１の光アドレス層で反射される色の補色）の光を透過する材料で形成されている。
【００２６】
液晶層２６５（青）および液晶層２６０（緑）の配向状態の制御は例えば以下のように行われる。まず、暗状態においてＶｅ＜Ｖ１Ｌ＜Ｖｆなる電圧Ｖ１Ｌが、光照射状態においてＶｇ＜Ｖ１Ｈなる電圧Ｖ１Ｈが液晶層２６５（青）および液晶層２６０（緑）に印加されるような、電圧Ｖ１が第１の光アドレス層に印加される。暗状態の部分については液晶層の配向状態が（Ｂ，Ｇ）＝（Ｐ，Ｆ）となり、光照射された部分については配向状態が（Ｂ，Ｇ）＝（Ｐ，Ｐ）となる。ここで、Ｐはプレーナ配向を、Ｆはフォーカルコニック配向を示す。（Ｂ，Ｇ）＝（Ｐ，Ｆ）は、液晶層２６５（青）の配向状態がプレーナ配向であり、液晶層２６０（緑）の配向状態がフォーカルコニック配向であることを示す（以下同様）。
【００２７】
次に、暗状態においてＶ２Ｌ＜Ｖｂなる電圧Ｖ２Ｌが、光照射状態においてＶｂ＜Ｖ２Ｈ＜Ｖｃなる電圧Ｖ２Ｈが液晶層２６５（青）および液晶層２６０（緑）に印加されるような、電圧Ｖ２が第１の光アドレス層に印加される。暗状態の部分については電圧Ｖ１による配向状態が維持される。光照射された部分については、液晶層２６５（青）の配向状態がフォーカルコニック配向となる。
【００２８】
第２の光アドレス層は、面２２ａ側から順に、液晶層２３０（赤）および感光層２２５を有する。透明電極２３５および２１５は、第２の光アドレス層に電圧を印加するための電極である。透明電極２３５および２１５は、ＩＴＯで作られている。感光層２２５は、特定の波長の光（例えば赤色の光）が照射されると電荷を生じて、暗状態よりも低抵抗化する。感光層２２５は、感光層２５５と同様に、ＯＰＣにより形成されている。感光層２２５は、チタニルフタロシアニン（ＴｉＯＰＣ）等の青〜緑色（第２の光アドレス層で反射される色の補色）の光を透過する材料で形成されている。液晶層２３０の配向状態の制御は、例えば以下のように行われる。暗状態においてＶ３Ｌ＜Ｖｃなる電圧Ｖ３Ｌが、光照射状態においてＶｄ＜Ｖ３Ｈなる電圧Ｖ３Ｈが液晶層２３０（赤）に印加されるような、電圧Ｖ３が第２の光アドレス層に印加される。
【００２９】
以上のように、光照射と電圧印加を組み合わせることにより、特定の層の特定の領域の液晶の配向を制御すること、すなわち、画像を形成することができる。なお上記の方法は、電子ペーパに対する書き込み方法（記録方法または配向状態の制御）のあくまで一例であり、液晶層と感光層とのインピーダンスの比などの特性に応じて、他の書き込み方法が用いられてもよい。また、画像の書き込みの前に液晶層を所定の配向状態にする（すなわち、それまでに描かれていた画像を消去する）リセット処理が行われてもよい。
【００３０】
絶縁層２４０は、透明電極２４５と透明電極２３５とを絶縁するための層である。この例で、絶縁層２４０はＰＥＴで形成されている。
【００３１】
なお、光ペン３０で追記を行わない記録システムにおいて、電子ペーパは、液晶層２６０と感光層２５５との間、および液晶層２３０と感光層２２５との間に、それぞれ光吸収層を有していてもよい。液晶層２６０と感光層２５５との間の光吸収層は、液晶層２６５および２６０で反射される波長帯の光（この例では青〜緑色）の光を吸収する層である。液晶層２３０と感光層２２５との間の光吸収層は、液晶層２３０で反射される波長帯の光（この例では赤色）の光を吸収する層である。本実施形態の電子ペーパ２０は光ペン３０で追記を行うためのものなので、光吸収層は有していない。
【００３２】
電極２３は、記録装置２０等の外部装置からの電気信号を受ける接点である。この例で電極２３は、電極２３ａ、２３ｂおよび２３ｃの３つの電極を有する。電極２３ｂは、グランド電位を与える電極である。電極２３ａおよび２３ｂにより第１の光アドレス層に電圧が印加され、電極２３ｂおよび２３ｃにより第２の光アドレス層に電圧が印加される。電極２３は、図１ｂに示すように電子ペーパ２０が記録装置１０に装着されると記録装置１０側の電極１４５と電気的に接触する位置に配置されている。
【００３３】
ＲＦタグ２４は、電子ペーパ２０の個別情報を記憶する記憶装置である。個別情報とは、例えば「所有者名」や、「書き換え回数累計値」や、「シリアルナンバー」など、電子ペーパ２０またはその利用者の属性を示す情報である。ＲＦタグ２４に記憶されている情報は、専用のリーダ／ライタにより読み出すことができる。
【００３４】
図６は、光ペン３０による電子ペーパ２０の表示の書き替えを例示する図である。信号Ｖ4および信号Ｖ4は、それぞれ、第１の光アドレス層および第２の光アドレス層に印加される電圧を示している。この例では、信号Ｖ4および信号Ｖ5ともＤＣ３００Ｖの電圧が５００ｍｓｅｃ印加されている。この電圧値は、第１の光アドレス層において液晶層２６０（緑）の配向をフォーカルコニックにする電圧値である。光強度ＬGおよび光強度ＬRは、それぞれ、緑色および赤色の光の強度を示している。この例では、１００μＷ／ｃｍ2の強度の緑色光および赤色光が、表示体２２に照射される。Ｂ−ＣｈＬＣ、Ｇ−ＣｈＬＣおよびＲ−ＣｈＬＣは、それぞれ、液晶層２６５（青）、液晶層２６０（緑）および液晶層２３０（赤）の配向状態を示している。Ｆはフォーカルコニック配向を、Ｐはプレーナ配向を示す。この例で、液晶層２６５（青）の配向状態は電圧印加および光照射の前後で変化しないが、液晶層２６０（緑）および液晶層２３０（赤）の配向状態は電圧印加および光照射によりフォーカルコニック配向に変化する。
【００３５】
図６中、下段の図は、電圧印加および光照射の前後の表示状態を示している。Ｂ、Ｃ、Ｇ、Ｙ、Ｗ、Ｍ、ＲおよびＫは、それぞれ、黒、シアン、緑、黄、白、マゼンタ、赤および黒を示している。例えば、赤が表示されていた領域は、３つの液晶層の配向状態は、（Ｒ，Ｇ，Ｂ）＝（Ｐ，Ｆ，Ｆ）である。この例では、電圧印加および光照射により液晶層２６０（緑）および液晶層２３０（赤）がフォーカルコニック配向となるので、３つの液晶層の配向状態は、（Ｒ，Ｇ，Ｂ）＝（Ｆ，Ｆ，Ｆ）となる。すなわち、赤が表示されていた領域は黒となる。同様に、電圧印加および光照射により、緑および黄の領域は黒となり、シアン、白およびマゼンタの領域は青となる。青および黒の領域は変化しない。このように、光ペン３０を用いることにより、黒または青の軌跡が電子ペーパ２０に記録される。
【００３６】
１−２．記録装置１０
図１ａを参照して、記録装置１０について説明する。筐体１１は、記録装置１０の各構成を保持する機能と、記録装置１０内部（特に電子ペーパ２０に記録を行う部分）に外光が侵入しないように遮光を行う機能と、利用者が電子ペーパ２０を記録装置１０に装着したときに電子ペーパ２０を保持する機能とを有する。筐体１１は、この例においてはエンジニアリングプラスチックなどの樹脂で製作されている。
【００３７】
図７は、記録装置１０の構成を示す図である。制御部１１０は、記録装置１０の各要素を制御する制御装置である。この例で、制御部１１０は、演算装置としてのＣＰＵ（Central Processing Unit）と、記憶装置としてのＨＤＤ（Hard Disk Drive）、ＲＯＭ（Read Only Memory）、ＲＡＭ（Random Access Memory）と、入出力装置としてのＩ／Ｏポートとを備えたコンピュータである。ＨＤＤやＲＯＭには、記録装置１０を制御するためのプログラムや各種のデータが記憶されている。ＣＰＵは、ＨＤＤやＲＯＭからプログラムを読み込んで実行することで記録装置１０の各部の動作を制御する。また、ＣＰＵは、プログラム実行時のワークエリアとしてＲＡＭを使用する。
【００３８】
操作パネル１１５は、利用者からの指示操作を受け付け、受け付けた操作に応じた信号を制御部１１０に出力する。操作パネル１１５は、ユーザが指示を入力するための入力装置、例えば電源スイッチやテンキーと、利用者への情報の提供を行うための表示装置、例えば表示ランプや液晶ディスプレイとを有する。
【００３９】
通信Ｉ／Ｆ１２０は、記録装置１０が光ペン３０等の外部機器とデータのやりとりを行うためのインターフェースである。この例において、通信Ｉ／Ｆ１２０は、無線通信を行うためのインターフェースである。
【００４０】
位置センサ１２５は、光ペン３０のペン先の位置を検出する。この例においては、位置センサ１２５として電磁誘導方式のセンサ等、公知の技術が用いられる。制御部１１０のＣＰＵは、位置センサ１２５から取得した位置を示すデータを、光ペン３０が移動した軌跡のデータとしてＨＤＤに記憶する。
【００４１】
ＲＦタグ・リーダライタ１３０は、電子ペーパ２０に内蔵されたＲＦタグ２４に書き込まれた情報の読み書きを行う。ＲＦタグ・リーダライタ１３０は、ＲＦタグ２４から読み出した情報を制御部１１０に出力する。また、ＲＦタグ・リーダライタ１３０は、制御部１１０の制御下でＲＦタグ２４に情報を書き込こむ。
【００４２】
電源１３５は、制御部１１０や、電極１４５（すなわち電子ペーパ２０）等に電力を供給する。着脱センサ１４０は、記録装置１０に電子ペーパ２０が装着されているか否かを検知し、検知した結果を制御部１１０に出力する。この例においては、着脱センサ１４０として押しボタンスイッチが用いられる。図１ａに示すように、記録装置１０に電子ペーパ２０が装着されてなければ押しボタンスイッチは押されていない。図１ｂに示すように電子ペーパ２０が装着されると押しボタンスイッチは押される。電極１４５は、３つの端子を有する。各端子は、電子ペーパ２０の２３ａ、２３ｂおよび２３ｃにそれぞれ対応する。電極１４５は、電源１３５が発生した電圧の電子ペーパ２０への供給に用いられる。電極１４５は、図１ｂに示すように電子ペーパ２０が記録装置１０に装着されたときに電子ペーパ２０の電極２３と電気的に接触する位置に配置されている。
【００４３】
リアルタイムクロック１５０は、時間を計測する時計機能を有する。リアルタイムクロック１５０は、この情報を制御部１１０と、後述する環境温度履歴記録部１５５に出力する。環境温度履歴記録部１５５は、環境温度センサ１６０から取得した環境温度情報と、リアルタイムクロック１５０から取得した時間の情報を結びつけて内蔵メモリに記録する。また、環境温度履歴記録部１５５は、制御部１１０からの要求に応じて、記録した温度履歴情報を制御部１１０に出力する。環境温度センサ１６０は、記録装置１０の環境温度を測定し、測定した環境温度を環境温度履歴記録部１５５に出力する。
【００４４】
画像処理部１７０は、制御部１１０の制御下で、ＬＣＤパネル１９５に描画する画像を示す画像データを処理する。画像処理部１７０は、処理した画像データを画像バッファ１７５に出力する。画像処理部１７０における画像処理は、例えば、複数の画像や、画像と文字との重ね合わせや、表示色の変更などである。画像バッファ１７５は、画像データを記憶するＶＲＡＭ（Video Random Access Memory）である。
【００４５】
バックライト制御部１８０は、制御部１１０の制御下でバックライト１８５を駆動する。バックライト１８５は、バックライト制御部１８０の制御下で、ＬＣＤパネル１９５に照射する光を発生する。この例において、バックライト１８５の光は、赤色と緑色のスペクトルを含んでいる。具体的に、バックライト１８５は、白色光を発生する冷陰極管を含んでいる。
【００４６】
ＬＣＤ駆動部１９０は、画像バッファ１７５に記憶された画像データを読み出し、読み出した画像データに従ってＬＣＤパネル１９５を駆動することにより、画像を表示させる。すなわち、ＬＣＤパネル１９５は、バックライト１８５からの光を選択的に透過する、透過型のカラー液晶パネルである。
【００４７】
図８は、記録装置１０の機能構成を示す図である。取得手段１０１は、表示媒体の第１の面（面２２ａ）上を、入力装置（光ペン３０）が移動した軌跡を取得する。記憶手段１０２は、取得手段１０１が取得した軌跡を記憶する。露光手段１０３は、記憶手段１０２に記憶された軌跡に応じて、表示体２２を、第２の面（面２２ｂ）側から露光する。電源１０４は、表示体２２を駆動する電圧を印加する。検出手段１０５は、入力装置と第１の面２２ａとの距離があらかじめ決められたしきい値以下になったことを検出する。制御手段１０６ａは、入力装置と第１の面２２ａとの距離がしきい値以下になったことを検出手段１０５が検出した場合、駆動電圧の印加の開始を、電源１０４に指示する。制御手段１０６ｂは、制御手段１０６ａにより駆動電圧の印加の開始が指示された後、第１のしきい値時間が経過した場合、駆動電圧の印加の停止を、電源１０４に指示する。制御手段１０６ｃは、駆動電圧の印加が停止された後、第１のしきい値時間より短い第２のしきい値時間が経過した場合において、第２のしきい値時間が経過する前までの間に入力装置が移動したとき、または、第２のしきい値時間が経過した時点で、入力装置と第１の面２２ａとの距離がしきい値以下になっていることが検出されたときは、駆動電圧の印加の開始を、電源１０４に指示する。
【００４８】
ここで、露光手段１０３は、駆動電圧の印加が停止されたときは軌跡に応じた露光の停止をする。露光手段１０３は、露光の停止後、駆動電圧の印加が再開されたときは、軌跡のうち露光が停止された部分から、露光を再開する。
【００４９】
検知手段１０７は、入力装置により第１の面２２ａに加えられる圧力を検知する。制御手段１０６ｄは、駆動電圧の印加の開始が指示された後、第３のしきい値時間が経過した場合において検出手段１０５により第１の面２２ａに入力装置が接触していないことが検出されたときに、駆動電圧の印加の停止を、電源１０４に指示する。第３のしきい値時間は、第１のしきい値時間より短く第２のしきい値時間より長い。
【００５０】
調整手段１０８は、光ペン３０が軌跡を描く速度に応じて、単位面積あたりの光照射量が一定になるように光照射手段３１の光量を調整する。
【００５１】
図７の制御部１１０内のＨＤＤは、記憶手段１０２の一例である。バックライト制御部１８０、バックライト１８５、ＬＣＤ駆動１９０およびＬＣＤパネル１９５は、露光手段１０３の一例である。電源１３５は、電源１０４の一例である。対応する命令を実行している制御部１１０は、取得手段１０１、検出手段１０５、制御手段１０６ａ、１０６ｂ、１０６ｃ、１０６ｄ、検知手段１０７および調整手段１０８の一例である。
【００５２】
１−３．光ペン３０
図９は、光ペン３０の構成を示す。図９は、光ペン３０の断面を模式的に示した図である。この例で、光ペン３０は、ボールペンや鉛筆、万年筆といった筆記具に類似した形状をしており、利用者は筆記具を使う要領で電子ペーパ２０に書き込み（記録）を行う。
【００５３】
筐体３０５は、光ペン３０の各構成を保持する。この例における筐体３０５は、機械的な剛性と、電気的な絶縁性と、光学的な遮光性を有する樹脂で作られている。スイッチ３１０は、利用者から光ペン３０への指示の入力に用いられる。例えば、後述する手書き追記モードへの移行や、電源のオン・オフ、書き込み色の選択などの指示が、スイッチ３１０により入力される。スイッチ３１０は、操作に応じた信号を制御部３３５に出力する。バッテリ３１５は、光ペン３０の各構成に電力を供給する電源である。
【００５４】
通信モジュール３２０は、記録装置１０と通信を行うための装置である。通信モジュール３２０は、制御部３３５の制御下でアンテナ３２５を介して記録装置１０と無線通信を行う。アンテナ３２５は、通信に用いられる電波の送受信を行う。
【００５５】
加速度センサ３３０は、光ペン３０の光軸（すなわち、筐体３０５の長手方向）に対する加速度のＸ軸、Ｙ軸およびＺ軸成分を検出し、検出結果を制御部３３５に出力する３次元加速度センサである。制御部３３５は、制御や演算を行うＣＰＵと、記憶装置であるＲＯＭやＲＡＭと、入出力を行うＩ／Ｏポートを有する。ＣＰＵは、利用者が光ペン３０の電源投入を行うと、予めＲＯＭに記憶されている制御プログラムを読み出し、読み出した制御プログラムを実行して光ペン３０の制御を行う。ＣＰＵは作業領域としてＲＡＭを使用する。例えば、制御部３３５は、加速度センサ３３０から出力される加速度を用いて、光ペン３０の移動速度を算出する。
【００５６】
センサ３４０は、光ペン３０のペン先の筆圧を検出するセンサである。具体的には、センサ３４０は、光ペン３０のペン先（この例ではレンズ３６０）に加えられている圧力を検出し、検出結果を示す信号を制御部３３５に出力する。利用者が、光ペン３０を用いて電子ペーパ２０に書き込み（記録）を行うときはレンズ３６０が電子ペーパ２０に接触して圧力が加えられる。レンズ３６０に加わった圧力は、導光部３５５、光源３５０を介して、センサ３４０に伝えられる。センサ３４５は、光ペン３０のペン先と電子ペーパ２０の面２２ａとの距離があらかじめ決められたしきい値以下になったことを検出するセンサである。センサ３４５は、検出結果を制御部３３５に出力する。この例で、センサ３４５は、フォトダイオード等の受光素子を有する。センサ３４５は、電子ペーパ２０の面２２ａで反射された、光源３５０の光を受け、光強度に応じた信号を制御部３３５に出力する。制御部３３５は、距離センサから出力される信号により示される光強度があらかじめ決められたしきい値を超えると、ペン先と電子ペーパ２０との距離がしきい値（例えば５ｍｍ）以下になったと判断する。
【００５７】
光源３５０は、利用者が電子ペーパ２０に書き込み（記録）を行うための光を出力する。この例で、光源３５０は、電子ペーパ２０に赤色の書き込み行うための赤色光を発生するための赤色ＬＥＤと、青色と緑色の書き込みを行うための緑色光を発生するための緑色ＬＥＤを含んでいる。導光部３５５は、光源３５０が発生した光をレンズ３６０に導く。この例において、導光部３５５は、光の透過率の高い透明樹脂で構成されている。レンズ３６０は、光源３５０から出力された光を集光する。この例において、レンズ３６０は、光学ガラスで作られている。レンズ３６０により集光された光は電子ペーパ２０の面２２ａに照射される。
【００５８】
２．動作
２−１．電子ペーパ２０への記録
電子ペーパ２０への記録は、記録装置１０に電子ペーパ２０を装着した状態で行われる。電子ペーパ２０への記録の方法（記録モード）は２通りある。１つは、バックライト１８５およびＬＣＤパネル１９５を用いる方法（すなわち、記録光１８６を電子ペーパ２０の面２２ｂから照射する方法）であり、これを「通常モード」の記録という。もう１つは、光ペン３０の光源３５０を用いる方法（すなわち、記録光を面２２ａから照射する方法）であり、これを「手書き追記モード」の記録という。この例で、手書き追記モードにおいては、光ペン３０の光源３５０からの追記光３６１に加えて、バックライト１８５およびＬＣＤパネル１９５からの記録光１８６も用いられる。
【００５９】
図１０は、通常モードにおける記録装置１０の動作を示すフローチャートである。ステップＳ３０において、記録装置１０の制御部１１０は、手書き追記モードに遷移させる操作が行われたか判断する。この例で、「手書き追記モードに遷移させる操作」は、利用者が操作パネル１１５に対して行う。あるいは、この操作は、光ペン３０のスイッチ３１０に対して行われてもよい。この場合、光ペン３０は、特定の操作が行われたことを示す信号を通信モジュール３２０を介して出力する。記録装置１０は、通信Ｉ／Ｆ１２０を介してこの信号を受信し、受信した信号により、手書き追記モードに遷移させる操作が行われたと判断する。手書き追記モードに遷移させる操作が行われたと判断された場合（Ｓ３０：ＹＥＳ）、制御部１１０は、処理をステップＳ３３に移行する。手書き追記モードに遷移させる操作が行われていないと判断された場合（Ｓ３０：ＮＯ）、制御部１１０は、処理をステップＳ３１に移行する。
【００６０】
ステップＳ３１において、制御部１１０は、光ペン３０のペン先の圧力（筆圧）または位置が、手書き追記モードに遷移するための所定の条件を満たしたか判断する。ここでは、筆圧があるか、またはペン先の位置が電子ペーパ３０の表面（面２２ａ）から５ｍｍ以内にあるという条件が用いられる。この条件が満たされたと判断された場合（Ｓ３１：ＹＥＳ）、制御部１１０は、処理をステップＳ３３に移行する。この条件が満たされていないと判断された場合（Ｓ３１：ＮＯ）、制御部１１０は、処理をステップＳ３２に移行する。
【００６１】
ステップＳ３２において、制御部１１０は、通常モードの記録処理を行う。通常モードの動作の詳細は省略するが、概要は以下のとおりである。制御部１１０は、電子ペーパ２０に記録する画像を示すデータ、例えばＨＤＤに記憶されている画像データや、通信Ｉ／Ｆ１２０を介して外部から取得した画像データを、画像処理部１７０に送る。画像処理部１７０は、画像データを液晶層に対応した色成分（ここではＲＧＢ）に分解する。また、画像処理部１７０は、解像度変換や明るさ情報の付与などの処理を行う。画像処理部１７０は、こうして処理された画像データを画像バッファ１７５に送る。ＬＣＤ駆動部１９０は、画像バッファ１７５からデータを読み出し、その内容に応じてＬＣＤパネル１９５を制御する。また、制御部１１０は、ＬＣＤパネル１９５の制御と同期して、バックライト制御部１８０を制御し、バックライト１８５を点灯させる。さらに、制御部１１０は、バックライト１８５の制御と同期して、電源１３５を制御し、第１の光アドレス層または第２の光アドレス層に駆動電圧を印加する。このように、液晶層２６５、液晶層２６０および液晶層２３０に照射される光および印加される電圧を制御することにより、電子ペーパ２０への画像の記録（書き込み）が行われる。
【００６２】
ステップＳ３３において、制御部１１０は、記録モードを手書き追記モードに遷移させる。
【００６３】
図１１は、手書き追記モードにおける記録装置１０の動作を示すフローチャートである。ステップＳ１０において、制御部１１０は、光ペン３０のペン先の圧力または位置が、手書き追記モードに遷移するための所定の条件を満たしたか判断する。この処理は、図１０のステップＳ３１と同様に行われる。条件を満たしたと判断された場合（Ｓ１０：ＹＥＳ）、制御部１１０は、処理をステップＳ１１に移行する。条件を満たしていないと判断された場合（Ｓ１０：ＮＯ）、制御部１１０は、条件が満たされるまで待機する。
【００６４】
ステップＳ１１において、制御部１１０は、駆動電圧の印加を開始させる。このとき、通常モードと同様に、駆動電圧の印加と同期して、バックライト１８５およびＬＣＤパネル１９５による露光が行われる。この露光に用いられるデータは、ＲＡＭに記憶されている、光ペン３０の軌跡のデータである。すなわち、駆動電圧の印加が行われている間、バックライト１８５およびＬＣＤパネル１９５による、光ペン３０の軌跡の記録が行われる。ステップＳ１２において、制御部１１０は、経過時間のタイマをリセットし、リセットしたタイマをスタートさせる。経過時間タイマは、駆動電圧の印加が開始されてからの経過時間をカウントするタイマである。この例において、経過時間のタイマはＣＰＵによるソフトウエアタイマである。
【００６５】
ステップＳ１３において、制御部１１０は、タイマにより計測された経過時間に応じての処理を変更する。経過時間がしきい値時間ｔａ（この例ではｔａ＝５００ｍｓｅｃ）を超えた場合（Ｓ１３：５００ｍｓｅｃ超）、制御部１１０は、処理をステップＳ１５に移行する。経過時間がしきい値時間ｔｂ（この例ではｔｂ＝３５０ｍｓｅｃ）未満である場合（Ｓ１３：３５０ｍｓｅｃ未満）、制御部１１０は、経過時間が３５０ｍｓｅｃ以上になるまで待機する。第１のしきい値時間および第３のしきい値時間はあらかじめ決められており、ＨＤＤに記憶されている。経過時間が３５０ｍｓｅｃ以上、かつ、５００ｍｓｅｃ以下である場合（Ｓ１３：３５０〜５００ｍｓｅｃ）、制御部１１０は、処理をステップＳ１４に移行する。
【００６６】
ステップＳ１４において、制御部１１０は、光ペン３０の筆圧があるか判断する。具体的に、制御部１１０は、光ペン３０のセンサ３４０から送信されてくる信号を通信Ｉ／Ｆ１２０を介して受信し、この信号から筆圧があるか判断する。筆圧があると判断された場合（Ｓ１４：ＹＥＳ）、制御部は、処理をステップＳ１３に移行する。筆圧が無いと判断された場合（Ｓ１４：ＮＯ）、制御部１１０は、処理をステップＳ１５に移行する。
【００６７】
ステップＳ１５において、制御部１１０は、電子ペーパ２０への駆動電圧の印加を停止する。制御部１１０は、電源１３５を制御して駆動電圧の印加を停止させる。ステップＳ１７において、制御部１１０は、タイマのリセットおよびスタートを行う。制御部１１０は、駆動電圧の印加を停止してからの経過時間をカウントするタイマをリセットして、新たにカウントを開始する。
【００６８】
ステップＳ１８において、制御部１１０は、タイマにより計測される経過時間がしきい値時間ｔｃ（この例ではｔｃ＝５０ｍｓｅｃ）以上になるまで待機する。なお、制御部１１０は、駆動電圧の印加が行われていない間（以下、この期間を「印加停止期間」という）も光ペン３０の軌跡をＲＡＭに記憶している。経過時間が５０ｍｓｅｃ以上になった場合（Ｓ１８：５０ｍｓｅｃ以上）、制御部１１０は、処理をステップＳ１９に移行する。第２のしきい値時間はあらかじめ決められており、ＨＤＤに記憶されている。しきい値時間ｔａ、ｔｂ、ｔｃの大小関係は、ｔａ＞ｔｂ＞ｔｃ、である。
【００６９】
ステップＳ１９において、制御部１１０は、印加休止期間中に光ペン３０の軌跡が更新されたか判断する。この例で、制御部１１０は、光ペン３０の軌跡をＲＡＭに記憶する際に、印加休止期間中の軌跡については、印加休止期間中であることを示すフラグとともに軌跡のデータを記憶する。制御部１１０は、このフラグの有無により、印加休止期間中に軌跡が更新されたか判断する。印加休止期間中に軌跡が更新されていないと判断された場合（Ｓ１９：ＮＯ）、制御部１１０は、処理をステップＳ１９に移行する。印加休止期間中に軌跡が更新されたと判断された場合（Ｓ１９：ＹＥＳ）、制御部１１０は、処理をステップＳ１１に移行する。ここで、ステップＳ１１では、既に記録が完了している点の次の点（すなわち、まだ記録されていない点のうち最も古いもの）のデータから、バックライト１８５およびＬＣＤパネル１９５による露光が行われる。すなわち、印加休止期間中に軌跡が更新された場合でも、その間に更新された軌跡が、この露光によって記録される。
【００７０】
ステップＳ２０において、制御部１１０は、手書き追記モードから離脱する操作が行われたか判断する。制御部１１０は、操作パネル１１５からのデータを読むこと、及び、光ペン３０から送信されてくるデータを通信Ｉ／Ｆ１２０を介して受信することでこれらの情報を得る。この例で、「手書き追記モードから離脱する操作」は、利用者が操作パネル１１５に対して行う。あるいは、この操作は、光ペン３０のスイッチ３１０に対して行われてもよい。この場合、光ペン３０は、特定の操作が行われたことを示す信号を通信モジュール３２０を介して出力する。記録装置１０は、通信Ｉ／Ｆ１２０を介してこの信号を受信し、受信した信号により、手書き追記モードから離脱させる操作が行われたと判断する。手書き追記モードから離脱する操作が行われたと判断された場合（Ｓ２０：ＹＥＳ）、制御部１１０は、記録モードを通常モードに移行する。手書き追記モードから離脱する操作が行われていないと判断された場合（Ｓ２０：ＮＯ）、制御部１１０は、処理をステップＳ１０に移行する。
【００７１】
以上で説明したように、本実施形態によれば、通常モードと手書き追記モードとが、ペン先と電子ペーパ２０との距離に応じて自動的に切り替えられる。
【００７２】
図１２は、本実施形態の構成を有しない記録システムによる記録の例を示す図である。液晶層の特性により、または記録装置の特性により、駆動電圧を長時間連続して印加できない場合がある。ここでは、駆動電圧を５００ｍｓｅｃ連続して印加すると５０ｍｓｅｃの間駆動電圧の印加が休止される例が示されている。この場合、光ペン３０の光源を用いた記録だけでは、印加休止期間の軌跡が途切れてしまう。
【００７３】
図１３は、本実施形態の記録システムによる記録の例を示す図である。本実施形態の記録システムによれば、光ペン３０の光源３５０を用いた面２２ａからの露光による記録が印加休止期間により途切れたとしても、印加休止期間中の軌跡は記憶される。さらに、バックライト１８５およびＬＣＤパネル１９５を用いた面２２ｂからの露光による記録が行われ、印加休止期間中の軌跡が記録される（印加休止期間以外の軌跡も上書きされる）。こうして、途切れが低減された軌跡が記録される。
【００７４】
２−２．光ペン３０の光出力の制御
図１４は、光ペン３０の光出力の特性を示す図である。図１４の縦軸は光源３５０の出力を、横軸はペン先の移動速度を示している。この例で、制御部１１０は、通信Ｉ／Ｆ１２０を介して、光ペン３０の加速度センサ３３０から出力される信号を取得する。制御部１１０は、この信号から、ペン先の移動速度を算出する。あるいは、制御部１１０は、ペン先位置センサ１２５により取得されたペン先の位置と、その位置を取得した時刻とから、ペン先の移動速度を算出してもよい。制御部１１０は、光ペン３０が軌跡を描く速度に応じて、液晶層の単位面積あたりの光照射量があらかじめ決められた一定の値になるように、光源３５０の光量を調整するための信号を、通信Ｉ／Ｆ１２０を介して光ペン３０に出力する。この制御により、光ペン３０により電子ペーパ２０に記録される軌跡の濃度の変動が抑制される。
【００７５】
３．他の実施形態
本発明は上述の実施形態に限定されない。本発明は、以下のようにさまざまな形態で実施可能である。以下で説明する変形例のうち、２つ以上のものが組み合わせて用いられてもよい。
【００７６】
３−１．変形例１
記録装置１０と光ペン３０との間の機能の分担は、実施形態で説明したものに限定されない。実施形態において記録装置１０の機能として説明したものの一部を、光ペン３０が有していてもよい。
【００７７】
図１５は、変形例１に係る光ペン３０の機能構成を示す図である。光照射手段３１は、電子ペーパ２０への書き込みに用いられる波長帯の光を照射する。通信手段３２は、記録装置１０と通信する。検出手段３３は、接触部（ペン先等、電子ペーパ２０に接する部分）と電子ペーパ２０の第１の面（面２２ａ）との距離があらかじめ決められたしきい値以下になったことを検出する。
【００７８】
制御手段３４ａは、検出手段３３が、接触部と第１の面２２ａとの距離がしきい値以下になったことを検出した場合、駆動電圧の印加の開始を、通信手段３２を介して記録装置１０に指示する。制御手段３４ｂは、駆動電圧の印加の開始が指示された後、第１のしきい値時間が経過した場合、駆動電圧の印加の停止を、通信手段３２を介して記録装置１０に指示する。制御手段３４ｃは、駆動電圧の印加が停止された後、第１のしきい値時間より短い第２のしきい値時間が経過した場合、駆動電圧の印加が停止された後、第２のしきい値時間が経過する前までの間に接触部が移動したとき、または、第２のしきい値時間が経過した時点で、接触部と第１の面２２ａとの距離がしきい値以下になっていることが検出されとき、駆動電圧の印加の開始を、通信手段３２を介して記録装置１０に指示する。
【００７９】
検知手段３５は、接触部により第１の面２２ａに加えられる圧力を検知する。制御手段３４ｄは、駆動電圧の印加の開始が指示された後、第１のしきい値時間より短く第２のしきい値時間より長い第３のしきい値時間が経過したときに第２の検出手段により第１の面２２ａに接触部が接触していないことが検出された場合、駆動電圧の印加の停止を、記録装置１０に指示する。調整手段３６は、接触部が軌跡を描く速度に応じて、液晶層の単位面積あたりの光照射量が一定になるように光照射手段３１の光量を調整する。
【００８０】
光源３５０は、光照射手段３１の一例である。通信モジュール３２０は、通信手段３２の一例である。センサ３４５は、検出手段３３の一例である。制御部３３５は、制御手段３４ａ、３４ｂ、３４ｃ、３４ｄ、調整手段３６の一例である。センサ３４０は、検知手段３５の一例である。
【００８１】
図１５は、実施形態において記録装置１０が行っていた処理の大部分を光ペン３０で行うための構成を示している。図１５の例では、例えば、電圧印加の停止の指示は、光ペン３０から記録装置１０に送られる。記録装置１０の制御部１１０は、光ペン３０からの指示を受けて、駆動電圧の印加を停止する。
【００８２】
なお、変形例１において、光ペン３０は、図１５に示される機能のすべてを有していなくてもよい。光ペン３０が図１５の機能の一部のみを有し、記録装置１０がそれ以外の機能を有していてもよい。
【００８３】
３−２．変形例２
記録装置１０は、２−２節で説明した、光ペン３０の光出力の制御機能を有していなくてもよい。この場合、光ペン３０の移動速度に応じて、記録される軌跡の濃度には変動が生じる。しかし、バックライト１８５およびＬＣＤパネル１９５を用いた露光により上書きされる軌跡により、最終的に描かれる軌跡の濃度の変動は抑制される。
【００８４】
３−３．変形例３
図１１のステップＳ１４の処理、すなわち制御手段１０５ｄに相当する機能は省略されてもよい。この場合において、制御部１１０は、経過時間がしきい値時間ｔａ（実施形態では５００ｍｓｅｃ）を超えた場合に処理をステップＳ１５に移行し、それ以外の場合は経過時間がしきい値時間ｔａを超えるまで待機する。
【００８５】
３−４．変形例４
手書き追記モードにおいて、バックライト１８５およびＬＣＤパネル１９５を用いた露光は行われなくてもよい。光ペン３０の光源３５０を用いた露光だけが行われてもよい。
【００８６】
３−５．変形例５
制御手段１０５ｃが駆動電圧の印加の開始を指示する条件は、実施形態で説明したものに限定されない。実施形態においては、図１１のステップＳ１８における、「印加休止期間中に光ペン３０の軌跡が更新された」という条件が、駆動電圧の印加の開始を指示する条件として用いられた。これ以外にも、例えば、「しきい値時間ｔｃが経過した時点で、光ペン３０のペン先と面２２ａとの距離がしきい値以下になっている」という条件または「しきい値時間ｔｃが経過した時点で、光ペン３０の筆圧がある」という条件が用いられてもよい。
【００８７】
３−６．変形例６
図８に示される機能構成を実現するための装置構成は、図７で示されるものに限定されない。要求される機能を実現できるものであれば、どのような構成の装置が用いられてもよい。例えば、露光手段１０３は、バックライト１８５およびＬＣＤパネル１９５に限定されない。発光色を変えられるバックライトと透過型モノクロ液晶パネルが、露光手段１０３として用いられてもよい。光ペン３０についても同様である。実施形態において、赤色ＬＥＤと緑色ＬＥＤが、光照射手段３１として用いられたが、これに代わり、白色光源および色フィルタが光照射手段３１として用いられてもよい。
【００８８】
また、実施形態においては、制御部１１０が、取得手段１０１、検出手段１０５、制御手段１０６ａ、１０６ｂ、１０６ｃ、１０６ｄ、検知手段１０７および調整手段１０８としての機能を兼ね備えていた。しかし、これらの機能の一部は、制御部１１０とは別のハードウェア構成要素により実現されてもよい。変形例１の制御部３３５と、制御手段３４ａ、３４ｂ、３４ｃ、３４ｄ、および調整手段３６とについても同様である。
【００８９】
３−７．変形例７
電子ペーパ２０の具体的構成は、実施形態で説明したものに限定されない。電子ペーパ２０は、例えば、一組の透明電極の間に、ＲＧＢの３つの液晶層を挟んだ構成を有していてもよい。あるいは、電子ペーパ２０は、一組の透明電極の間に１つの液晶層を挟んだ光アドレス層を複数有していてもよい。また、液晶層の数も３つに限定されない。４層以上の液晶層が用いられてもよいし、モノクロ表示の電子ペーパであれば単一の液晶層が用いられてもよい。また、液晶層のしきい値の設計も図４で例示したものに限定されない。液晶層のしきい値は、表示層の構造や駆動方法に応じて設計される。
【符号の説明】
【００９０】
１０…記録装置、１１…筐体、１０１…取得手段、１０２…記憶手段、１０３…露光手段、１０４…電圧印加手段、１０５…検出手段、１０６ａ、１０６ｂ、１０６ｃ、１０６ｄ…制御手段、１０７…検知手段、１０８…調整手段、１１０…制御部、１１５…操作パネル、１２０…通信Ｉ／Ｆ、１２５…ペン先位置センサ、１３０…ＲＦタグ・リーダライタ、１３５…電源、１４０…着脱センサ、１４５…電極、１５０…リアルタイムクロック、１５５…環境温度履歴装置、１６０…環境温度センサ、１７０…画像処理部、１７５…画像バッファ、１８０…バックライト制御、１８５…バックライト、１８６…記録光、１９０…ＬＣＤ駆動、１９５…ＬＣＤパネル、２０…電子ペーパ、２１…フレーム、２２…表示体、２２ａ…第１の面、２２ｂ…第２の面、２３、２３ａ、２３ｂ、２３ｃ…電極、２４…ＲＦタグ、２１０、２７５…保護層、２１５、２３５、２４５、２７０…透明電極、２２５、２５５…感光層、２３０、２６０、２６５…液晶層、２４０…絶縁層、３０…光ペン、３１…光照射手段、３２…通信手段、３３…検出手段、３４ａ、３４ｂ、３４ｃ、３４ｄ…制御手段、３５…検知手段、３６…調整手段、３０５…筐体、３１０…スイッチ、３１５…バッテリ、３２０…通信モジュール、３２５…アンテナ、３３０…加速度センサ、３３５…制御部、３４０、３４５…センサ、３５０…光源、３５５…導光路、３６０…レンズ、３６１…追記光
【図１ａ】
2010230707.tif 000003
【図１ｂ】
2010230707.tif 000004
【図２】
2010230707.tif 000005
【図３】
2010230707.tif 000006
【図４】
2010230707.tif 000007
【図５】
2010230707.tif 000008
【図６】
2010230707.tif 000009
【図７】
2010230707.tif 000010
【図８】
2010230707.tif 000011
【図９】
2010230707.tif 000012
【図１０】
2010230707.tif 000013
【図１１】
2010230707.tif 000014
【図１２】
2010230707.tif 000015
【図１３】
2010230707.tif 000016
【図１４】
2010230707.tif 000017
【図１５】
2010230707.tif 000018